(57)【要約】【課題】放電ランプ点灯開始時の始動性を向上させることができる放電灯点灯装置及びそれを内蔵したプロジェクタを提供する。【解決手段】点灯開始時に、高圧放電ランプ７の電極両端にそれぞれ極性の異なったイグニッションパルスを印加し、且つ、前記電極の何れか一方に印加するイグニッションパルスのパルス幅を、他方の電極に印加するイグニッションパルスのパルス幅より幅広とするイグナイタ回路８を備えた。【選択図】図１
2008123785.tif 000002
【特許請求の範囲】
【請求項１】
点灯開始時に、放電ランプの電極両端にそれぞれ極性の異なったイグニッションパルスを印加し、且つ、前記電極の何れか一方に印加するイグニッションパルスのパルス幅を、他方の電極に印加するイグニッションパルスのパルス幅より幅広とするイグナイタ回路を備えたことを特徴とする放電灯点灯装置。
【請求項２】
一対の電極の一方と通電し、他方の電極の近傍に配置されるトリガー線を有する放電ランプを点灯させる放電灯点灯装置であって、
点灯開始時に、放電ランプの電極両端にそれぞれ極性の異なったイグニッションパルスを印加し、且つ、前記トリガー線と通電する電極に印加するイグニッションパルスのパルス幅を、他方の電極に印加するイグニッションパルスのパルス幅より幅広とするイグナイタ回路を備えたことを特徴とする放電灯点灯装置。
【請求項３】
前記イグナイタ回路は、
前記電極の何れか一方に印加するイグニッションパルスのパルス幅が、他方の電極に印加するイグニッションパルスのパルス幅の２倍又は４倍であることを特徴とする請求項１又は２記載の放電灯点灯装置。
【請求項４】
放電ランプと、
請求項１〜請求項３の何れかに記載の放電灯点灯装置と、
空間光変調器と、
前記放電ランプからの光を前記空間光変調器に導く光学手段と、
前記空間光変調器に描画された画像をスクリーンに投射する投射手段と
を備えることを特徴とするプロジェクタ。
【発明の詳細な説明】
【技術分野】
【０００１】
本発明は、放電灯点灯装置及びそれを内蔵したプロジェクタに関し、特に、放電灯始動時のイグニッションパルスに関する。
【背景技術】
【０００２】
従来の放電灯点灯装置としては、例えば、「電源と、放電灯と、前記電源および放電灯の間に介設される安定器としての電力供給手段と、所定電圧発生用のエネルギー供給源手段、両端電圧が所定の応答電圧に達すると導通する２端子電圧応答型のスイッチング素子、このスイッチング素子が導通時に前記エネルギー供給源手段から前記所定電圧が印加される１次巻線を有するとともに、前記電力供給手段と前記放電灯との間に介設され、前記１次巻線に前記所定電圧が印加すると始動用で高圧の第１電圧を前記放電灯に印加する２次巻線を有するパルストランス、および前記スイッチング素子の両端への前記応答電圧以上の電圧印加用のトリガ電源手段により成るパルス発生手段とを備え、前記トリガ電源手段は前記放電灯の始動用で高圧の第２電圧を発生する放電灯点灯装置。」が提案されている（例えば、特許文献１参照）。
【０００３】
【特許文献１】特開２０００−２７７２７６号公報（請求項１）
【発明の開示】
【発明が解決しようとする課題】
【０００４】
一般に、放電灯（以下、放電ランプともいう）の点灯開始時は、グロー放電を開始する為のイグニッションパルス（電圧）を放電ランプ電極両端に対し印加する。このイグニッションパルスは、時間幅が短いパルス状の電圧であるためグロー放電に至らない場合は、複数回のイグニッションパルスを印加する。これを所定時間の間印加してもグロー放電が持続できないときが点灯失敗ということになる。
【０００５】
しかしながら、従来の放電灯点灯装置は、放電ランプの状態に応じてイグニッションパルスの電圧を制御し、放電ランプに与えるストレスを抑制するもの（特許文献１）が知られているが、放電ランプ点灯の始動性を向上させることはできず、点灯失敗による黒化等放電ランプへのダメージが大きくなる、という問題点があった。
【０００６】
本発明は、このような問題点を解決するためになされたものであり、放電ランプ点灯開始時の始動性を向上させることができる放電灯点灯装置及びそれを内蔵したプロジェクタを提供することを目的とする。
【課題を解決するための手段】
【０００７】
本発明に係る放電灯点灯装置は、点灯開始時に、放電ランプの電極両端にそれぞれ極性の異なったイグニッションパルスを印加し、且つ、前記電極の何れか一方に印加するイグニッションパルスのパルス幅を、他方の電極に印加するイグニッションパルスのパルス幅より幅広とするイグナイタ回路を備えたものである。
本発明においては、放電ランプ電極の何れか一方に印加するイグニッションパルスのパルス幅を、他方の電極に印加するイグニッションパルスのパルス幅より幅広としており、このため、より長い期間放電ランプ電極間に電位差を発生させることができ、放電ランプ電極間周囲の自由電子を増加させ電極間の絶縁破壊からグロー放電、アーク放電への移行がより成功しやすくなり、放電ランプ点灯開始時の始動性を向上させることができる。また、始動性の向上により点灯失敗による放電ランプへのダメージを低下させることができる。
【０００８】
本発明に係る放電灯点灯装置は、一対の電極の一方と通電し、他方の電極の近傍に配置されるトリガー線を有する放電ランプを点灯させる放電灯点灯装置であって、点灯開始時に、放電ランプの電極両端にそれぞれ極性の異なったイグニッションパルスを印加し、且つ、前記トリガー線と通電する電極に印加するイグニッションパルスのパルス幅を、他方の電極に印加するイグニッションパルスのパルス幅より幅広とするイグナイタ回路を備えたものである。
トリガー線を有する放電ランプは、トリガー線とトリガー線が近傍に配置された電極との間の付近には、電極間よりも電位傾度の大きな電界が発生して当該電極間周囲の自由電子が増加する。このようなことから、本発明においては、トリガー線を有する放電ランプのトリガー線と通電する電極に印加するイグニッションパルスのパルス幅を、他方の電極に印加するイグニッションパルスのパルス幅より幅広としており、このため、トリガー線とトリガー線が近傍に配置された電極との間により長い期間放電ランプ電極間に電位差を発生させることができ、放電ランプ電極間周囲の自由電子を増加させ電極間の絶縁破壊からグロー放電、アーク放電への移行がより成功しやすくなり、放電ランプ点灯開始時の始動性を向上させることができる。また、始動性の向上により点灯失敗による放電ランプへのダメージを低下させることができる。
【０００９】
本発明に係る放電灯点灯装置においては、前記イグナイタ回路は、前記電極の何れか一方に印加するイグニッションパルスのパルス幅が、他方の電極に印加するイグニッションパルスのパルス幅の２倍又は４倍である。
本発明においては、前記電極の何れか一方に印加するイグニッションパルスのパルス幅を、他方の電極に印加するイグニッションパルスのパルス幅の２倍又は４倍としており、このため、より長い期間放電ランプ電極間に電位差を発生させることができ、放電ランプ電極間周囲の自由電子を増加させ電極間の絶縁破壊からグロー放電、アーク放電への移行がより成功しやすくなり、放電ランプ点灯開始時の始動性を向上させることができる。また、始動性の向上により点灯失敗による放電ランプへのダメージを低下させることができる。
【００１０】
本発明に係るプロジェクタは、放電ランプと、上記の放電灯点灯装置と、空間光変調器と、前記放電ランプからの光を前記空間光変調器に導く光学手段と、前記空間光変調器に描画された画像をスクリーンに投射する投射手段とを備えるものである。
本発明においては、上記放電灯点灯装置を備えたことにより、放電ランプの始動性を向上させることができ、映写開始時の放電ランプの点灯不良の発生を低減させることができる。
【発明を実施するための最良の形態】
【００１１】
実施の形態１．
図１は実施の形態１に係る放電灯点灯装置の構成図である。放電灯点灯装置は、ダウンチョッパー回路２、インバータブリッジ回路３、イグナイタ回路８及び制御部６から構成されており、イグナイタ回路８の出力端には高圧放電ランプ７が接続されている。
【００１２】
ダウンチョッパー回路２は、降圧型のチョッパー回路であり、インダクターＬｌ、スイッチング素子Ｓ１及びダイオードＤから構成されており、スイッチング素子Ｓ１がオン／オフによりデューティ比が制御されることで高圧放電ランプ７に供給される電流あるいは電力が制御される。
【００１３】
インバータブリッジ回路３は、フルブリッジ接続された４個のスイッチング素子Ｓ２〜Ｓ５から構成されており、スイッチング素子Ｓ２、Ｓ５のペアと、スイッチング素子Ｓ３、Ｓ４のペアが交互にオン制御されて、ダウンチョッパー回路２、スイッチング素子Ｓ２、イグナイタ回路８、高圧放電ランプ７、スイッチング素子Ｓ５、ダウンチョッパー回路２の経路で流れる電流と、ダウンチョッパー回路２、スイッチング素子Ｓ４、イグナイタ回路８、高圧放電ランプ７、スイッチング素子Ｓ３、ダウンチョッパー回路２の経路で流れる電流を交互に生成することで高圧放電ランプ７に交流矩形波電流を供給する。
【００１４】
イグナイタ回路８は、後述する動作により、高圧放電ランプ７の始動時に高電圧のイグニッションパルス（パルス）を印加するものであり、イグナイタトランス４ａ，４ｂ（以下、区別しない場合は単にイグナイタトランス４という）、イグナイタトランス駆動回路５ａ，５ｂ（以下、区別しない場合は単にイグナイタトランス駆動回路５という）により構成されている。イグナイタトランス４は、１次巻線Ｔｒ１と２次巻線Ｔｒ２から構成されており、１次巻線Ｔｒ１はイグナイタトランス駆動回路５に接続され、２次巻線Ｔｒ２の一端はインバータブリッジ回路３と、他端側は高圧放電ランプ７に接続される。そして、イグナイタトランス４ａ，４ｂは、それぞれ高圧放電ランプ７への出力電圧が逆極性にとなるように接続される。
【００１５】
制御部６は、例えばマイクロプロセッサ等から構成され、ダウンチョッパー回路２、インバータブリッジ回路３及びイグナイタトランス駆動回路５をそれぞれ制御する。
【００１６】
高圧放電ランプ７は、例えば高圧水銀灯、高圧ナトリウム灯やメタルハライド灯などの高圧放電灯を用いた反射型の光源装置であり、管内に電極７１１ａ、７１１ｂが設けられた発光管７１は反射鏡７２の中央部に耐熱セメントを介して固着されており、発光管７１の電極７１１ａと接続された外部リード線７３は口金７４に接続されており、口金７４はイグナイタトランス４の出力の一端に接続される。また、発光管７１の電極７１１ｂと接続された外部リード線７５は反射鏡７２の周辺部に口金７６を介して接続されており、口金７６はイグナイタトランス４の出力の他端に接続される。
【００１７】
図２は実施の形態１に係るイグナイタトランス駆動回路の回路図である。図に示すように、イグナイタトランス駆動回路５には、インバータ出力Ｖｓが供給され、このインバータ出力Ｖｓの出力を整流するダイオードＤと直列に接続される制限抵抗Ｒと出力端子間に接続されるコンデンサＣと、このコンデンサＣの一端に接続され、両端電圧が応答電圧（放電開始電圧）に達すると導通する放電ギャップＧとにより構成されており、放電ギャップＧの他端とコンデンサＣの他端との間にイグナイタトランス４の１次巻線Ｔｒ１が接続されている。もちろん、コンデンサＣは倍電圧充電回路であってもよい。
【００１８】
このような構成により、ダウンチョッパー回路２は入力した直流電圧をチョッパー処理により降下させ、その出力電流はインバータブリッジ回路３に出力される。インバータブリッジ回路３は、入力した直流電流を所定の周波数の交流電流に変換してイグナイタ回路８に出力する。イグナイタ回路８は点灯開始時に、後述する動作により、イグニッションパルスを発生して高圧放電ランプ７に印加し、高圧放電ランプ７が点灯するとイグナイタ回路８は動作を停止して、インバータブリッジ回路３の出力電圧がそのまま高圧放電ランプ７に印加されて点灯状態を継続する。
【００１９】
ところで、高圧放電ランプ７の始動時に必要なイグニッションパルスは、その印加電圧が高い為（例えば、５ｋＶ〜１５ｋＶ程度）、それによる部品コストの上昇等を考慮して、高圧放電ランプ７の電極それぞれに、逆極性のイグニッションパルスをそれぞれ印加し、その差により、電位差を実現している。
【００２０】
図３は従来の放電灯点灯装置におけるイグニッションパルスの波形図である。図に示すように、従来の放電灯点灯装置は、高圧放電ランプの正極側に、図３（ａ）に示すようなイグニッションパルス（パルス幅Ｔ）を印加し、高圧放電ランプの負極側に、図３（ｂ）に示すように、図３（ａ）と同じパルス幅で逆位相となるイグニッションパルス（パルス幅Ｔ）を印加することにより、図３（ｃ）に示すように、合成されたイグニッションパルスが印加される。即ち、各電極に印加する電圧の絶対値は、高圧放電ランプ７の両端に印加される電圧の半分の値に設定される。
【００２１】
高圧放電ランプ７の始動時に必要なイグニッションパルスは、所定のレベル以上の電圧を印加する時間が長いほど、ランプ電極間周囲の自由電子を増加させグロー放電からアーク放電への移行がより成功しやすくなり始動性は向上する。つまり、高圧放電ランプ７の始動性を向上させるには、なるべく長い時間イグニッションパルスを印加することが望ましい。こうすることによって一回の点灯シーケンスでランプが点灯する可能性が高まり、ランプに与えるダメージを最小限にすることができる。このようなイグニッションパルスの印加時間を増加させ、始動性を向上させる本実施の形態における点灯開始時の動作について次に説明する。
【００２２】
再び、図１及び図２において、制御部６は、高圧放電ランプ７の点灯開始時、イグナイタトランス駆動回路５に対する出力を供給する為、ダウンチョッパ回路及びインバータを起動する。イグナイタトランス駆動回路５は、インバータ出力Ｖｓが供給されると、コンデンサＣが充電され、その両端電圧Ｖｃが上昇する。この後、両端電圧Ｖｃが放電ギャップＧの応答電圧Ｖｇ（例えば８００Ｖ）に達すると、放電ギャップＧが絶縁破壊を起こし、コンデンサＣ、１次巻線Ｔｒ１、放電ギャップＧ及びコンデンサＣの閉回路が形成され、コンデンサＣがその閉回路に電荷を放出する。このとき、イグナイタトランス４の２次巻線Ｔｒ２に、１次巻線と２次巻線の巻線比に応じた電圧（例えば数千ボルト）が誘起されて、高圧放電ランプ７の電極に印加する。
【００２３】
図４は実施の形態１に係るイグニッションパルスの波形図である。また、図４（ａ）はイグナイタトランス４ａの２次巻線Ｔｒ２に誘起されるイグニッションパルス波形を示す図、図４（ｂ）はイグナイタトランス４ｂの２次巻線Ｔｒ２に誘起されるイグニッションパルス波形を示す図、図４（ｃ）は図４（ａ）及び図４（ｂ）が合成されたイグニッションパルス波形を示す図である。
イグナイタ回路８のイグナイタトランス４及びイグナイタトランス駆動回路５のコンデンサＣの放電時定数は、図４（ｂ）に示すように、イグナイタトランス４ｂの２次巻線Ｔｒ２に誘起されるイグニッションパルス幅が、図４（ａ）に示すイグナイタトランス４ａの２次巻線Ｔｒ２に誘起されるイグニッションパルス幅Ｔに対して２倍のパルス幅Ｔ２となるような時定数に設定される。
【００２４】
このように、高圧放電ランプ７の電極７１１ｂには、図４（ａ）に示すパルス幅Ｔのイグニッションパルスが印加され、高圧放電ランプ７の電極７１１ａには、図４（ｂ）に示すパルス幅２Ｔのイグニッションパルスが印加されることにより、高圧放電ランプ７の電極間には、図４（ｃ）に示すようなイグニッションパルスが印加されることとなる。
【００２５】
以上のように本実施形態１においては、高圧放電ランプ７の電極７１１ｂに印加するイグニッションパルスのパルス幅を、電極７１１ａに印加するイグニッションパルスのパルス幅の２倍のパルス幅としており、このため、より長い期間高圧放電ランプ７の電極間に電位差を発生させることができ、高圧放電ランプ７の電極間周囲の自由電子を増加させグロー放電からアーク放電への移行がより成功しやすくなり、高圧放電ランプ７点灯開始時の始動性を向上させることができる。
また、始動性の向上により点灯失敗による高圧放電ランプ７へのダメージを低下させることができる。
【００２６】
尚、本実施の形態１では、高圧放電ランプ７の電極７１１ａに印加されるイグニッションパルスのパルス幅を２Ｔとしたが、パルス幅はこれに限らず、何れか１方のパルス幅が他方のパルス幅より幅広であれば良い。例えば、図５に示すように、電極７１１ｂに印加されるイグニッションパルス（図５（ａ））の４倍のパルス幅とするイグニッションパルス（図５（ｂ））を電極７１１ａに印加し、電極間に図５（ｃ）に示すような合成されたイグニッションパルスを印加しても良い。
【００２７】
また、本実施の形態１では、電極７１１ａに印加されるイグニッションパルスの幅を幅広としたが、本発明はこれに限らず、電極７１１ｂに印加されるイグニッションパルスの幅を幅広としても良い。
【００２８】
実施の形態２．
本実施の形態における高圧放電ランプ７は、一対の電極の一方と通電し、他方の電極の近傍に配置されるトリガー線を有するものである。尚、その他の構成及び動作は上記実施の形態１と同様である。
【００２９】
図６は実施の形態２に係る高圧放電ランプの断面構成を模式的に示す図である。図６に示すように、本実施の形態２における高圧放電ランプ７は、管内に一対の電極７１１ａ、７１１ｂ（例えば、タングステン電極）が対向して設けられた発光管７１と、この発光管７１の両端を封止する電極封止部７１２ａ、７１２ｂと、電極封止部７１２ａ、ｂ内に設けられた金属箔７１４ａ、ｂを介して、電極７１１ａ、ｂと接続される外部リード線７３、７５とを有しており、さらに、発光管７１の外周面の電極７１１ａの近傍の位置には、導電性材料からなるトリガー線７１３が巻き付けられており、外部リード線７５と接続されている。尚、外部リード線７３、７５は、配線を介して、インバータブリッジ回路３に電気的に接続されている。
【００３０】
本実施の形態における高圧放電ランプ７の始動動作を説明する。まず、ランプの始動時には、上記実施の形態１と同様の動作により、高電圧のイグニッションパルスがイグナイタ回路８から出力され、電極７１１ａ、７１１ｂにそれぞれ印加される。このとき、トリガー線７１３は電極７１１ｂと同電位になり、トリガー線７１３と電極７１１ａとの間の付近には、電極７１１ａ、７１１ｂ間よりも電位傾度の大きな電界が発生する。即ち、トリガー線７１３と発光管７１内の電極７１１ａとの間で、発光管７１の構成材料を介在させた、いわゆる誘電体バリア放電を発生する。この誘電体バリア放電により、発光管７１内にプラズマが発生すると、このプラズマを種として、発光管７１内の電極間での放電が発生する。
【００３１】
以上のように本実施形態２においては、トリガー線７１３を有する高圧放電ランプ７のトリガー線７１３と通電する電極７１１ｂに印加するイグニッションパルスのパルス幅を、電極７１１ａに印加するイグニッションパルスのパルス幅より幅広としており、このため、トリガー線７１３とトリガー線７１３が近傍に配置された電極７１１ａとの間により長い期間高圧放電ランプ７の電極間に電位差を発生させることができ、高圧放電ランプ７の電極間周囲の自由電子を増加させグロー放電からアーク放電への移行がより成功しやすくなり、高圧放電ランプ７点灯開始時の始動性を向上させることができる。また、始動性の向上により点灯失敗による放電ランプへのダメージを低下させることができる。
【００３２】
実施の形態３．
図７は実施の形態３に係るプロジェクタの光学系構成図である。本実施の形態におけるプロジェクタは、上記の実施の形態１又は２の放電灯点灯装置を照明光学系に組み込んだものである。図７の放電灯点灯装置１０は、図１の放電灯点灯装置に相当するものである。
【００３３】
このプロジェクタは、光学手段である照明光学系１００、ダイクロイックミラー２１０，２１２、反射ミラー２２０，２２２，２２４、入射側レンズ２３０、リレーレンズ２３２及び３枚のフィールドレンズ２４０，２４２，２４４と、空間光変調器である３枚の液晶パネル２５０，２５２，２５４と、投写手段である各液晶パネルの出射側及び入射側にそれぞれ配置された偏光板２５１，２５３，２５５，２５６，２５７，２５８、クロスダイクロイックプリズム２６０及び投射レンズ２７０とを備えている。
【００３４】
照明光学系１００は、ほぼ平行な光線束を射出する光源１１０と、照明装置１２０と、反射ミラー１５０と、コンデンサレンズ１６０とを備えている。光源１１０は、放射状の光線を射出する放射光源としての高圧放電ランプ７（図１参照）から構成されている。光源１１０から放射された光は照明装置１２０でその輝度が均一化された後、反射ミラー１５０を介してコンデンサレンズ１６０に入る。コンデンサレンズ１６０は、照明装置１２０から照射された均一光を液晶パネル２５０，２５２，２５４のパネル面へ入射させる。
【００３５】
さらに、２枚のダイクロイックミラー２１０，２１２は、照明光学系１００から射出された光を、赤（Ｒ）、緑（Ｇ）、青（Ｂ）の３つの色光に分離する色光分離光学系２１４を構成している。第１のダイクロイックミラー２１０は、照明光学系１００から射出された光の赤色光成分を透過させるとともに、青色光成分と緑色光成分とを反射する。第１のダイクロイックミラー２１０を透過した赤色光は、反射ミラー２２０で反射され、フィールドレンズ２４０を通って赤光用の液晶パネル２５０に達する。このフィールドレンズ２４０は、通過した各部分光線束が、各部分光線束の主光線（中心軸）に平行な光束となるように集光する機能を有している。他の液晶パネルの前に設けられたフィールドレンズ２４２，２４４も同様に作用する。
【００３６】
第１のダイクロイックミラー２１０で反射された青色光と緑色光のうちで、緑色光は第２のダイクロイックミラー２１２によって反射され、フィールドレンズ２４２を通って緑光用の液晶パネル２５２に達する。一方、青色光は、第２のダイクロイックミラー２１２を透過し、入射側レンズ２３０と、リレーレンズ２３２および反射ミラー２２２，２２４を備えたリレーレンズ系を通過する。リレーレンズ系を通過した青色光は、さらにフィールドレンズ２４４を通って青色光用の液晶パネル２５４に達する。
【００３７】
３枚の液晶パネル２５０，２５２，２５４は、それぞれに入射する各色光を、与えられた画像信号に応じて画像を形成するための光に変換して射出する光変調装置としての機能を有する。なお、この液晶パネル２５０，２５２，２５４の光入射側には偏光板２５６，２５７，２５８が有り、また、液晶パネル２５０，２５２，２５４の光出射側には偏光板２５１，２５３，２５５がそれぞれ設けられていて、それらにより各色光の偏光方向が調整されている。そして、これらの液晶パネル２５０，２５２，２５４を通過した光は、続いてクロスダイクロイックプリズム２６０に入る。
【００３８】
クロスダイクロイックプリズム２６０は、３枚の液晶パネル２５０，２５２，２５４から射出された３色の色光を合成する色光合成光学系としての機能を有する。クロスダイクロイックプリズム２６０には、赤光を反射する誘電体多層膜と、青光を反射する誘電体多層膜とが、４つの直角プリズムの界面に略Ｘ字状に形成されている。これらの誘電体多層膜によって３つの色光が合成されて、カラー画像を投射するための合成光が形成される。クロスダイクロイックプリズム２６０で生成された合成光は、投射レンズ２７０に入り、そこから投射スクリーン３００上に投射される。これにより液晶パネル２５０，２５２，２５４で表示された画像が投射スクリーン３００上に投射される。
【００３９】
以上のように本実施の形態３においては、上記実施の形態１又は２の放電灯点灯装置を備え、放電灯点灯装置により点灯された高圧放電ランプ７を照明光学系１００に適用して、上述のように点灯させることにより、映写の開始時に高圧放電ランプの点灯不良が発生するような事態が避けられる。
【００４０】
尚、本実施の形態３では、３枚の液晶パネル２５０，２５２，２５４を用いて光変調を行ったが、本発明はこれに限らず、他の空間光変調器を用いても良く、例えば、半導体基板の上に敷き詰められた微小面積のミラーの傾きを映像データに基いて制御することによって映像を投写するＤＭＤ（Digital Micro Mirror Device ：登録商標）を用いても良い。
【図面の簡単な説明】
【００４１】
【図１】実施の形態１に係る放電灯点灯装置の構成図である。
【図２】実施の形態１に係るイグナイタトランス駆動回路の回路図である。
【図３】従来の放電灯点灯装置におけるイグニッションパルスの波形図である。
【図４】実施の形態１に係るイグニッションパルスの波形図である。
【図５】実施の形態１に係るイグニッションパルスの波形図である。
【図６】実施の形態２に係る高圧放電ランプの断面構成を模式的に示す図である。
【図７】実施の形態３に係るプロジェクタの光学系構成図である。
【符号の説明】
【００４２】
２  ダウンチョッパー回路、３  インバータブリッジ回路、４ａ  イグナイタトランス、４ｂ  イグナイタトランス、５ａ  イグナイタトランス駆動回路、５ｂ  イグナイタトランス駆動回路、６  制御部、７  高圧放電ランプ、８  イグナイタ回路、１０  放電灯点灯装置、７１  発光管、７２  反射鏡、７３  外部リード線、７４  口金、７５  外部リード線、７６  口金、１００  照明光学系、１１０  光源、１２０  照明装置、１５０  反射ミラー、１６０  コンデンサレンズ、２１０  ダイクロイックミラー、２１２  ダイクロイックミラー、２１４  色光分離光学系、２２０  反射ミラー、２２２  反射ミラー、２２４  反射ミラー、２３０  入射側レンズ、２３２  リレーレンズ、２４０  フィールドレンズ、２４０  フィールドレンズ、２４２  フィールドレンズ、２４４  フィールドレンズ、２５０  液晶パネル、２５１  偏光板、２５２  液晶パネル、２５３  偏光板、２５４  液晶パネル、２５５  偏光板、２５６  偏光板、２５７  偏光板、２５８  偏光板、２６０  クロスダイクロイックプリズム、２７０  投射レンズ、３００  投射スクリーン、７１１ａ  電極、７１１ｂ  電極、７１２ａ  電極封止部、７１２ｂ  電極封止部、７１３  トリガー線、７１４ａ  金属箔、７１４ｂ  金属箔、Ｖｓ  インバータ出力、Ｒ  制限抵抗、Ｃ  コンデンサ、Ｄ  ダイオード、Ｇ  放電ギャップ、Ｌｌ  インダクター、Ｓ１  スイッチング素子、Ｓ２  スイッチング素子、Ｓ３  スイッチング素子、Ｓ４  スイッチング素子、Ｓ５  スイッチング素子、ＳＷ  スイッチ回路、Ｔｒ１  １次巻線、Ｔｒ２  ２次巻線。
【図１】
2008123785.tif 000003
【図２】
2008123785.tif 000004
【図３】
2008123785.tif 000005
【図４】
2008123785.tif 000006
【図５】
2008123785.tif 000007
【図６】
2008123785.tif 000008
【図７】
2008123785.tif 000009